(57)【要約】【課題】消費電力量が少なく且つリレー駆動用電圧の有無でリレースイッチのオン・オフを確実に切り替えることができるリレー駆動回路を提供する。【解決手段】リレー駆動用電源Ｖｃｃが印加されたときに、Ｖｃｃからのエネルギを蓄積するコンデンサＣ１と、このコンデンサを監視して、コンデンサに蓄積されたエネルギが所定値以上であるかどうかを判定する電圧監視部４と、電圧監視部４により、コンデンサに蓄積されたエネルギが所定値以上であると判定されたときにオンするトランジスタＱ１と、Ｖｃｃが遮断されたときにオンするトランジスタＱ２と、セットコイル１ａ及びリセットコイル１ｂを有し、トランジスタＱ１がオンしたときＶｃｃからセットコイルに電流を流すことでセットされ、トランジスタＱ２がオンしたときコンデンサからリセットコイルに電流を流すことでリセットされるラッチングリレー１とを有する。【選択図】図１
2006179232.tif 000002
【特許請求の範囲】
【請求項１】
リレー駆動用電源が印加されたときに、前記リレー駆動用電源からのエネルギを蓄積するエネルギ蓄積手段と、
このエネルギ蓄積手段を監視して、前記エネルギ蓄積手段に蓄積されたエネルギが所定値以上であるかどうかを判定する監視部と、
前記監視部により、前記エネルギ蓄積手段に蓄積されたエネルギが所定値以上であると判定されたときにオンする第１のスイッチ手段と、
前記リレー駆動用電源が遮断されたときにオンする第２のスイッチ手段と、
セット手段及びリセット手段を有し、前記第１のスイッチ手段がオンしたとき前記リレー駆動用電源から前記セット手段に電流を流すことでセットされ、前記第２のスイッチ手段がオンしたとき前記エネルギ蓄積手段から前記リセット手段に電流を流すことでリセットされるラッチングリレーと、
を有することを特徴とするリレー駆動回路。
【請求項２】
前記ラッチングリレーは、前記セット手段及び前記リセット手段が一体化されたセット・リセット手段を有し、前記第１のスイッチ手段がオンしたとき前記リレー駆動用電源から前記セット・リセット手段に正方向に電流を流すことでセットされ、前記第２のスイッチ手段がオンしたとき前記エネルギ蓄積手段から前記セット・リセット手段に逆方向に電流を流すことでリセットされることを特徴とする請求項１記載のリレー駆動回路。
【請求項３】
リレー駆動用電源が印加されたときに、前記リレー駆動用電源からのエネルギを蓄積するエネルギ蓄積手段と、
このエネルギ蓄積手段を監視して、前記エネルギ蓄積手段に蓄積されたエネルギが所定値以上であるかどうかを判定する監視部と、
前記監視部により、前記エネルギ蓄積手段に蓄積されたエネルギが所定値以上であると判定されたときにオンする第１のスイッチ手段と、
前記リレー駆動用電源が遮断されたときにオンする第２のスイッチ手段と、
セット手段及びリセット手段を有し、前記第１のスイッチ手段がオンしたとき前記リレー駆動用電源から前記リセット手段に電流を流すことでリセットされ、前記第２のスイッチ手段がオンしたとき前記エネルギ蓄積手段から前記セット手段に電流を流すことでセットされるラッチングリレーと、
を有することを特徴とするリレー駆動回路。
【請求項４】
前記ラッチングリレーは、前記セット手段及び前記リセット手段が一体化されたセット・リセット手段を有し、前記第１のスイッチ手段がオンしたとき前記リレー駆動用電源から前記セット・リセット手段に正方向に電流を流すことでリセットされ、前記第２のスイッチ手段がオンしたとき前記エネルギ蓄積手段から前記セット・リセット手段に逆方向に電流を流すことでセットされることを特徴とする請求項３記載のリレー駆動回路。
【請求項５】
前記エネルギ蓄積手段に蓄積されたエネルギが所定値以上であると判定されたときに所定の幅の第１のパルス信号を発生する第１のパルス信号発生部と、前記リレー駆動用電源が遮断されたときに所定の幅の第２のパルス信号を発生する第２のパルス信号発生部とを有し、
前記第１のスイッチ手段は、前記第１のパルス信号によりオンし、前記第２のスイッチ手段は、前記第２のパルス信号によりオンすることを特徴とする請求項１乃至請求項４のいずれか１項記載のリレー駆動回路。
【請求項６】
前記エネルギ蓄積手段はコンデンサからなることを特徴とする請求項１乃至請求項５のいずれか１項記載のリレー駆動回路。
【発明の詳細な説明】
【技術分野】
【０００１】
本発明は、消費電力量が少なく且つリレー駆動用電圧の有無でリレースイッチのオン・オフを確実に切り替えるリレー駆動回路に関する。
【背景技術】
【０００２】
従来、リレーコイルに電流を流して、この電流により発生する磁力によりリレースイッチの接点を切り替えるリレー駆動回路が知られている。図４は従来のリレー駆動回路である。図４に示すように、従来のリレー駆動回路は、リレーコイル１０１の端子Ｐ１と端子Ｐ２との間にリレー駆動用電圧Ｖｃｃを印加してリレーコイル１０１にリレーコイル駆動電流Ｉを流すことで、リレースイッチ１０２をオンさせ、リレー駆動用電圧Ｖｃｃを遮断することで、リレースイッチ１０２をオフさせるものである。図５は図４に示す従来のリレー駆動回路に印加されるリレー駆動用電圧Ｖｃｃとリレースイッチ１０２の状態とリレーコイル１０１に流れるリレーコイル駆動電流Ｉとの関係を示すタイミングチャートである。図５に示すように、図４に示す従来のリレー駆動回路は、リレースイッチ１０２をオンに保持する期間（図５の時刻ｔ０〜ｔ１）では、リレーコイル１０１に継続してリレーコイル駆動電流Ｉを流し続ける必要がある。
【０００３】
また、セットコイルとリセットコイルとを有し、短い時間セットコイルまたはリセットコイルに電流を流すことで、リレースイッチをセットまたはリセットに切り替え、この状態を保持するラッチングリレーが知られている。このラッチングリレーは、微小時間だけセットコイルまたはリセットコイルに電流を流すことで、リレースイッチがセット（例えばオン）またはリセット（例えばオフ）に保持されるので、消費電力量を低減することができる。しかし、このラッチングリレーは、リレースイッチをセットにもリセットにも保持することができるので、リレー駆動用電圧が遮断されたときに、リレースイッチの状態が不定となる。
【０００４】
そこで、リレー駆動用電圧を遮断したときに、ラッチングリレーが常にリセット（またはセット）に保持されるラッチングリレー駆動回路が開示されている（例えば、特許文献１）。このラッチングリレー駆動回路を図６に示す。図６に示すように、このラッチングリレー駆動回路は、セットコイル１１ａ及びリセットコイル１１ｂを有したラッチングリレー１１、論理回路１０３、トランジスタＱ１０１，Ｑ１０２、電圧監視回路１０４、コンデンサＣ１０１で主に構成されている。
【０００５】
図６に示す従来のラッチングリレー駆動回路は、論理回路１０３がセットパルス１１０とリセットパルス１１１とを交互に出力する。セットパルス１１０によりトランジスタＱ１０１をオンさせることで、セットコイル１１ａに電流を流してラッチングリレー１１をセットする。リセットパルス１１１によりトランジスタＱ１０２をオンさせることで、リセットコイル１１ｂに電流を流してラッチングリレー１１をリセットする。
【０００６】
このラッチングリレー駆動回路は、リレー駆動用電圧Ｖｃｃを遮断した場合、リレー駆動用電圧Ｖｃｃを監視している電圧監視回路１０４が制御パルス１１２を論理回路１０３に出力して、セットパルス１１０またはリセットパルス１１１の出力を中止させる。このとき、コンデンサＣ１０１からのバイアス電流によりトランジスタＱ１０２がオンして、リセットコイル１１ｂに電流が流れてラッチングリレー１１がリセットされる。従って、このラッチングリレー１１はリレー駆動用電圧Ｖｃｃが遮断されたときに、リレースイッチが不定となるのを防ぐことができる。
【特許文献１】特開２００１−３３２１６１号公報
【発明の開示】
【発明が解決しようとする課題】
【０００７】
しかしながら、図４に示した従来のリレー駆動回路は、リレースイッチ１０２をオンに保持する期間は常にリレーコイル１０１にリレーコイル駆動電流Ｉを流し続ける必要があり、この期間は継続して電力消費が発生する。
【０００８】
また、図６に示した従来のラッチングリレー駆動回路は、リレー駆動用電源Ｖｃｃが遮断された時にラッチングリレーをリセットさせることを目的としたものであり、リレー駆動用電源Ｖｃｃの有無でラッチングリレーをセットすることはなく、従来のリレー駆動回路のような動作はしない。また、電源監視回路１０４はリレー駆動用電源Ｖｃｃのみを監視し、コンデンサＣ１０１の電圧を監視していないので、コンデンサＣ１０１の電圧がラッチングリレー１１をリセットするのに十分な電圧になる前にリレー駆動用電源Ｖｃｃが遮断されると、リレーを確実にオフすることができない可能性がある。また、セットパルス１１０及びリセットパルス１１１が必要であるという問題があった。
【０００９】
本発明は、上述した問題を解消するためになされたものであり、その課題は、リレー駆動用電圧の有無でリレースイッチのオン・オフを確実に切り替えることができ、リレーコイルに電流を流してオンまたはオフしているときの電力消費が大幅に削減できるリレー駆動回路を提供することにある。
【課題を解決するための手段】
【００１０】
本発明は前記課題を解決するために以下の手段を採用した。請求項１の発明は、リレー駆動用電源が印加されたときに、前記リレー駆動用電源からのエネルギを蓄積するエネルギ蓄積手段と、このエネルギ蓄積手段を監視して、前記エネルギ蓄積手段に蓄積されたエネルギが所定値以上であるかどうかを判定する監視部と、前記監視部により、前記エネルギ蓄積手段に蓄積されたエネルギが所定値以上であると判定されたときにオンする第１のスイッチ手段と、前記リレー駆動用電源が遮断されたときにオンする第２のスイッチ手段と、セット手段及びリセット手段を有し、前記第１のスイッチ手段がオンしたとき前記リレー駆動用電源から前記セット手段に電流を流すことでセットされ、前記第２のスイッチ手段がオンしたとき前記エネルギ蓄積手段から前記リセット手段に電流を流すことでリセットされるラッチングリレーとを有することを特徴とする。
【００１１】
請求項２の発明は、請求項１記載のリレー駆動回路において、前記ラッチングリレーは、前記セット手段及び前記リセット手段が一体化されたセット・リセット手段を有し、前記第１のスイッチ手段がオンしたとき前記リレー駆動用電源から前記セット・リセット手段に正方向に電流を流すことでセットされ、前記第２のスイッチ手段がオンしたとき前記エネルギ蓄積手段から前記セット・リセット手段に逆方向に電流を流すことでリセットされることを特徴とする。
【００１２】
請求項３の発明は、リレー駆動用電源が印加されたときに、前記リレー駆動用電源からのエネルギを蓄積するエネルギ蓄積手段と、このエネルギ蓄積手段を監視して、前記エネルギ蓄積手段に蓄積されたエネルギが所定値以上であるかどうかを判定する監視部と、前記監視部により、前記エネルギ蓄積手段に蓄積されたエネルギが所定値以上であると判定されたときにオンする第１のスイッチ手段と、前記リレー駆動用電源が遮断されたときにオンする第２のスイッチ手段と、セット手段及びリセット手段を有し、前記第１のスイッチ手段がオンしたとき前記リレー駆動用電源から前記リセット手段に電流を流すことでリセットされ、前記第２のスイッチ手段がオンしたとき前記エネルギ蓄積手段から前記セット手段に電流を流すことでセットされるラッチングリレーとを有することを特徴とする。
【００１３】
請求項４の発明は、請求項３記載のリレー駆動回路において、前記ラッチングリレーは、前記セット手段及び前記リセット手段が一体化されたセット・リセット手段を有し、前記第１のスイッチ手段がオンしたとき前記リレー駆動用電源から前記セット・リセット手段に正方向に電流を流すことでリセットされ、前記第２のスイッチ手段がオンしたとき前記エネルギ蓄積手段から前記セット・リセット手段に逆方向に電流を流すことでセットされることを特徴とする。
【００１４】
請求項５の発明は、請求項１乃至請求項４のいずれか１項記載のリレー駆動回路において、前記エネルギ蓄積手段に蓄積されたエネルギが所定値以上であると判定されたときに所定の幅の第１のパルス信号を発生する第１のパルス信号発生部と、前記リレー駆動用電源が遮断されたときに所定の幅の第２のパルス信号を発生する第２のパルス信号発生部とを有し、前記第１のスイッチ手段は、前記第１のパルス信号によりオンし、前記第２のスイッチ手段は、前記第２のパルス信号によりオンすることを特徴とする。
【００１５】
請求項６の発明は、請求項１乃至請求項５のいずれか１項記載のリレー駆動回路において、前記エネルギ蓄積手段はコンデンサからなることを特徴とする。
【発明の効果】
【００１６】
請求項１の発明によれば、ラッチングリレーは、リレー駆動用電源が印加されたときに、リレー駆動用電源からのエネルギがエネルギ蓄積手段に蓄積され、エネルギ蓄積手段に蓄積されたエネルギが所定値以上であると判定されたときに、リレー駆動用電源からセット手段に電流を流すことでセットされ、リレー駆動用電源が遮断されたときに、エネルギ蓄積手段からリセットコイルに電流を流すことでリセットされるので、リレー駆動用電圧の有無でリレースイッチのオン・オフを確実に切り替えることができ、リレーコイルに電流を流してオンまたはオフしているときの電力消費が大幅に削減できる。
【００１７】
請求項２の発明によれば、ラッチングリレーは、セット手段及びリセット手段が一体化されたセット・リセット手段を有し、第１のスイッチ手段がオンしたときリレー駆動用電源からセット・リセット手段に正方向に電流を流すことでセットされ、第２のスイッチ手段がオンしたときエネルギ蓄積手段からセット・リセット手段に逆方向に電流を流すことでリセットされるので、セット手段とリセット手段とを共用することができる。
【００１８】
請求項３の発明によれば、ラッチングリレーは、リレー駆動用電源が印加されたときに、リレー駆動用電源からのエネルギがエネルギ蓄積手段に蓄積され、エネルギ蓄積手段に蓄積されたエネルギが所定値以上であると判定されたときに、リレー駆動用電源からリセット手段に電流を流すことでリセットされ、リレー駆動用電源が遮断されたときに、エネルギ蓄積手段からセット手段に電流を流すことでセットされるので、リレー駆動用電圧の有無でリレースイッチのオン・オフを切り替えることができ、リレーコイルに電流を流してオンまたはオフしているときの電力消費が大幅に削減できる。
【００１９】
請求項４の発明によれば、ラッチングリレーは、セット手段及びリセット手段が一体化されたセット・リセット手段を有し、第１のスイッチ手段がオンしたときリレー駆動用電源からセット・リセット手段に正方向に電流を流すことでリセットされ、第２のスイッチ手段がオンしたときエネルギ蓄積手段からセット・リセット手段に逆方向に電流を流すことでセットされるので、セット手段とリセット手段とを共用することができる。
【００２０】
請求項５の発明によれば、エネルギ蓄積手段に蓄積されたエネルギが所定値以上であると判定されたときに第１のパルス信号発生部が所定の幅の第１のパルス信号を発生し、リレー駆動用電源が遮断されたときに第２のパルス信号発生部が所定の幅の第２のパルス信号を発生して、第１のスイッチ手段は、第１のパルス信号によりオンし、第２のスイッチ手段は、第２のパルス信号によりオンするので、第１，第２のパルス信号のパルス幅を小さくすることにより、消費電力量を容易に低減することができる。
【００２１】
請求項６の発明によれば、エネルギ蓄積手段としてコンデンサを用いたので、リレー駆動回路を簡単な回路構成とすることができ、安価に構成することができる。
【発明を実施するための最良の形態】
【００２２】
以下、本発明のリレー駆動回路の実施の形態を図面を参照しながら詳細に説明する。
【実施例１】
【００２３】
図１は本発明の実施例１に係るリレー駆動回路である。図１に示すように、実施例１のリレー駆動回路はセットコイル１ａ，リセットコイル１ｂ，リレースイッチ１ｃを有するラッチングリレー１、トランジスタＱ１，Ｑ２（第１，第２のスイッチ手段）、セット用ワンショットマルチバイブレータ２（第１のパルス信号発生部）、リセット用ワンショットマルチバイブレータ３（第２のパルス信号発生部）、電圧監視部４、コンデンサＣ１（エネルギ蓄積手段）で主に構成されている。
【００２４】
コンデンサＣ１は、端子Ｐ１と端子Ｐ２との間にリレー駆動用電圧Ｖｃｃが印加されたときにダイオードＤ１を介して充電され、リレー駆動用電圧Ｖｃｃが遮断されたときに放電されて、リセットコイル１ｂに電流を流す。
【００２５】
電圧監視部４は、コンデンサＣ１の電圧Ｖｃ１を監視して、電圧Ｖｃ１がラッチングリレー１をリセットするのに十分な電圧ＶＴＨ以上であるかどうかを判定する。電圧監視部４は、電圧Ｖｃ１が電圧ＶＴＨ以上であると判定したときに出力端子から制御信号として例えばＨレベル信号を出力する。
【００２６】
セット用ワンショットマルチバイブレータ２は、入力端子に電圧監視部４から出力された制御信号が入力されることで出力端子からセット用のワンショットパルス（第１のパルス信号）を出力して、トランジスタＱ１をオンさせる。
【００２７】
リセット用ワンショットマルチバイブレータ３は、リレー駆動用電圧Ｖｃｃが遮断されたときに出力端子からリセット用のワンショットパルス（第２のパルス信号）を出力して、トランジスタＱ２をオンさせる。
【００２８】
ラッチングリレー１は、トランジスタＱ１がオンされたときにリレー駆動用電源Ｖｃｃからの電流をセットコイル１ａに流すことでセットされ、トランジスタＱ２がオンされたときにコンデンサＣ１からの電流をリセットコイル１ｂに流すことでリセットされる。
【００２９】
リレー駆動用電圧Ｖｃｃが印加される端子Ｐ１にはセットコイル１ａの一端、リセット用ワンショットマルチバイブレータ３の入力端子、ダイオードＤ１を介するコンデンサＣ１の一端及びリセットコイル１ｂの一端が接続され、コンデンサＣ１の他端はリレー駆動用電源の−端子Ｐ２に接続されている。電圧監視部４の＋側入力端子はコンデンサＣ１の一端に接続され、−側入力端子はコンデンサＣ１の他端に接続されている。電圧監視部４の出力端子はセット用ワンショットマルチバイブレータ２の入力端子に接続されている。セット用ワンショットマルチバイブレータ２の出力端子はトランジスタＱ１のベースに接続され、トランジスタＱ１のコレクタはセットコイル１ａの他端に接続され、エミッタは端子Ｐ２に接続されている。リセット用ワンショットマルチバイブレータ３の出力端子はトランジスタＱ２のベースに接続され、トランジスタＱ２のコレクタはリセットコイル１ｂの他端に接続され、エミッタは端子Ｐ２に接続されている。
【００３０】
次に、このように接続されたリレー駆動回路の動作を図１に示す回路図及び図３に示すタイミングチャートを参照しながら詳細に説明する。
【００３１】
まず、ラッチングリレー１をセットに切り替える場合を説明する。端子Ｐ１と端子Ｐ２との間にリレー駆動用電圧Ｖｃｃを印加すると（図３の時刻ｔ０）、ダイオードＤ１を介してコンデンサＣ１に電荷が充電されてコンデンサＣ１の電圧Ｖｃ１が上昇する。コンデンサＣ１に充電された電圧Ｖｃ１がラッチングリレー１をリセットにするのに十分な電圧ＶＴＨになったとき（図３の時刻ｔ１）に、コンデンサＣ１の電圧Ｖｃ１を監視している電圧監視部４が制御信号を出力する。この制御信号が入力されたセット用ワンショットマルチバイブレータ２は所定の幅のワンショットパルスをトランジスタＱ１のベースに入力する。このワンショットパルスによりトランジスタＱ１が微小時間だけオンして、トランジスタＱ１がオンしている期間、リレー駆動用電源Ｖｃｃからセットコイル１ａにセットコイル駆動電流Ｉｓが流れる。ラッチングリレー１はセット（例えば、リレースイッチ１ｃがオン）される（図３の時刻ｔ１〜ｔ２）。
【００３２】
次に、ラッチングリレー１をリセットに切り替える場合を説明する。リレー駆動用電圧Ｖｃｃを遮断すると、リセット用ワンショットマルチバイブレータ３は所定の幅のワンショットパルスをトランジスタＱ２に入力する。このワンショットパルスによりトランジスタＱ２が微小時間だけオンして、トランジスタＱ２がオンしている期間、コンデンサＣ１からリセットコイル１ｂにリセットコイル駆動電流ＩＲが流れる。ラッチングリレー１はリセット（例えば、リレースイッチ１ｃがオフ）される（図３の時刻ｔ２〜）。
【００３３】
トランジスタＱ１，Ｑ２のオン期間は、セット用ワンショットマルチバイブレータ２，リセット用ワンショットマルチバイブレータ３から出力されるワンショットパルスのパルス幅により決定される。
【００３４】
このように、実施例１に係るリレー駆動回路では、リレー駆動用電源Ｖｃｃが印加されたときに、コンデンサＣ１はリレー駆動用電源Ｖｃｃにより充電され、コンデンサＣ１の電圧Ｖｃ１がラッチングリレー１をリセットするのに十分な電圧ＶＴＨであると判定されたときリレー駆動用電源Ｖｃｃからセットコイル１ａに電流を流すことでラッチングリレー１をセットする。リレー駆動用電源Ｖｃｃが遮断されたときには、コンデンサＣ１から電流を流すことでラッチングリレー１をリセットするので、リレー駆動用電圧Ｖｃｃの有無でリレースイッチの１ｃオン・オフを切り替えることができ、セットコイル１ａまたはリセットコイル１ｂに電流を流してオンまたはオフしているときの電力消費が大幅に削減できる。このため、図４に示したような従来のリレー駆動回路と本発明のリレー駆動回路とを置き換えるだけで、リレーによる消費電力量を低減することができ、近年の市場要求である低消費高効率な電子機器、待機時消費電力の小さな電子機器を提供することができる。
【００３５】
なお、上記の説明では、リレー駆動用電圧Ｖｃｃを印加したときに、ラッチングリレー１をセットし、リレー駆動用電圧Ｖｃｃを遮断したときにラッチングリレー１をリセットするものとしたが、セットコイル１ａとリセットコイル１ｂとの接続位置を入れ替えることで、リレー駆動用電圧Ｖｃｃを印加したときにリセットし、遮断したときにセットすることができるのは勿論である。
【００３６】
また、上記の説明では、セットコイル１ａとリセットコイル１ｂとを別々の２つのコイルとしたが、セットコイル１ａとリセットコイル１ｂとが一体化されたセット・リセットコイルを用いて、セットコイル１ａとリセットコイル１ｂとを共用することもできる。このセット・リセットコイルは、一端から他端に（正方向に）電流を流すことでセットされ、他端から一端に（逆方向に）電流を流すことでリレースイッチ１ｃがリセットされる。このリレースイッチ１ｃを用いる場合、例えば、本発明の第１のスイッチ手段としてトランジスタ等で構成される２つのスイッチ素子を用い、第２のスイッチ手段として２つのスイッチ素子を用いる。この第１のスイッチ手段と第２のスイッチ手段とセット・リセットコイルとでブリッジ回路を構成して、第１のスイッチ手段がオンしたときリレー駆動用電源Ｖｃｃからセット・リセットコイルに正方向に電流を流すことで、ラッチングリレー１はセットされ、第２のスイッチ手段がオンしたときコンデンサＣ１からセット・リセットコイルに逆方向に電流を流すことで、ラッチングリレー１はリセットされる。
【００３７】
また、上記のセット・リセットコイルを用いる場合に、第１のスイッチ手段がオンしたときリレー駆動用電源Ｖｃｃからセット・リセットコイルに正方向に電流を流すことで、ラッチングリレー１はリセットされ、第２のスイッチ手段がオンしたときコンデンサＣ１からセット・リセットコイルに逆方向に電流を流すことで、ラッチングリレー１はセットされるように構成することができるのは勿論である。
【実施例２】
【００３８】
図２は本発明の実施例２に係るリレー駆動回路である。図２に示すように、実施例２のリレー駆動回路は、実施例１のリレー駆動回路を具体化したものである。この回路は図１のセット用ワンショットマルチバイブレータ２をＩＣ１ａ、リセット用ワンショットマルチバイブレータ３をＩＣ１ｂ、電圧監視部４をＩＣ２で構成したものである。ＩＣ１は例えばＣＭＯＳゲートＩＣで構成され、ＩＣ２は例えばリセットＩＣで構成されている。
【００３９】
ＩＣ１は、２つのワンショットマルチバイブレータ回路ＩＣ１ａ及びＩＣ１ｂを備え、ＩＣ１ａはＡａ、Ｂａ，ＣＤａ，Ｔ１ａ，Ｔ２ａ，Ｑａ，Ｖｓｓ端子を有し、ＩＣ１ｂはＡｂ，Ｂｂ，ＣＤｂ，Ｔ１ｂ，Ｔ２ｂ，Ｑｂ，Ｖｄｄ端子を有している。
【００４０】
セット用ワンショットマルチバイブレータ回路ＩＣ１ａは、ＣＤａ端子及びＢａ端子にリレー駆動用電源ＶｃｃからＨレベル信号が入力された状態で、Ａａ端子にＩＣ２から、ＬレベルからＨレベルへの立ち上がりエッジが入力されることによりトリガされ、Ｑａ端子からワンショットパルスが出力される。
【００４１】
リセット用ワンショットマルチバイブレータ回路ＩＣ１ｂは、ＣＤｂ端子にリレー駆動用電源ＶｃｃからＨレベル信号が入力され、Ａｂ端子にＧＮＤ端子Ｐ２からＬレベル信号が入力された状態で、Ｂｂ端子にリレー駆動用電源Ｖｃｃから、ＨレベルからＬレベルへの立下りエッジが入力されることによりトリガされ、Ｑｂ端子からワンショットパルスが出力される。
【００４２】
電圧監視部ＩＣ２は、電圧検出機能をもつリセットＩＣであり、Ｖｃｃ端子、ＧＮＤ端子及びＯＵＴ端子を有し、コンデンサＣ１の電圧Ｖｃ１を監視している。ＩＣ２は、コンデンサＣ１の電圧Ｖｃ１がラッチングリレー１をリセットするのに十分な電圧ＶＴＨになるまでＯＵＴ端子からＬレベル信号を出力し、電圧Ｖｃ１が電圧ＶＴＨになったときにＨレベル信号を出力する。
【００４３】
コンデンサＣ１は、ラッチングリレー１を確実にリセットに切り替えることができるエネルギ量を蓄積できる電解コンデンサで構成されている。
【００４４】
実施例１と同様である部分の説明は省略する。端子Ｐ１に接続されたダイオードＤ１とコンデンサＣ１との間にコンデンサＣ１への突入電流制限用の抵抗Ｒ１が接続されている。電圧監視部ＩＣ２のＶｃｃ端子はコンデンサＣ１の一端に接続され、ＧＮＤ端子はコンデンサＣ１の他端に接続され、ＯＵＴ端子はＩＣ１ａのＡａ端子に接続されている。ＩＣ１ａのＢａ端子及びＣＤａ端子は、コンデンサＣ１の一端に接続され、Ｔ１ａ端子及びＶｓｓ端子は端子Ｐ２に接続され、Ｔ２ａ端子は抵抗Ｒ３を介してコンデンサＣ１の一端に接続され、抵抗Ｒ３には並列にダイオードＤ２が接続されている。Ｔ１ａ端子とＴ２ａ端子との間にはコンデンサＣ２が接続されている。Ｑａ端子は抵抗Ｒ５を介してトランジスタＱ１のベースに接続され、トランジスタＱ１のベース−エミッタ間には抵抗Ｒ６が接続されている。ＩＣ１ｂのＢｂ端子は抵抗Ｒ２を介して端子Ｐ１に接続され、ＣＤｂ端子及びＶｄｄ端子はコンデンサＣ１の一端に接続され、Ｔ１ｂ端子及びＡｂ端子は端子Ｐ２に接続され、Ｔ２ｂ端子は抵抗Ｒ４を介してコンデンサＣ１の一端に接続され、抵抗Ｒ４には並列にダイオードＤ３が接続されている。Ｔ１ｂ端子とＴ２ｂ端子との間にはコンデンサＣ３が接続されている。Ｑｂ端子は抵抗Ｒ７を介してトランジスタＱ２のベースに接続され、トランジスタＱ２のベース−エミッタ間には抵抗Ｒ８が接続されている。セットコイル１ａには並列にダイオードＤ４が接続され、リセットコイル１ｂには並列にダイオードＤ５が接続されている。
【００４５】
ＩＣ１ａのＱａ端子から出力されるパルスのパルス幅は、コンデンサＣ２及び抵抗Ｒ３により決定され、ＩＣ１ｂのＱｂ端子から出力されるパルスのパルス幅は、コンデンサＣ３及び抵抗Ｒ４により決定される。
【００４６】
このように構成された実施例２に係るリレー駆動回路は、実施例１の動作と同様に動作し、実施例１の効果と同様の効果が得られる。また、セット用，リセット用マルチバイブレータ２，３としてＣＭＯＳゲートＩＣ１を用い、電圧監視部４としてリセットＩＣ２を用いたので、安価に構成することができる。また、ワンショットマルチバイブレータＩＣ１ａ及びＩＣ１ｂから出力されるパルスのパルス幅をそれぞれコンデンサＣ２と抵抗Ｒ３、コンデンサＣ３と抵抗Ｒ４の値を調整することにより決定することができるので、容易に消費電力量を低減することができる。
【産業上の利用可能性】
【００４７】
本発明は、種々の電子機器のリレー駆動回路として利用可能である。
【図面の簡単な説明】
【００４８】
【図１】本発明の実施例１に係るリレー駆動回路である。
【図２】本発明の実施例２に係るリレー駆動回路である。
【図３】本発明の実施例１及び実施例２に係るリレー駆動回路の動作を示すタイミングチャートである。
【図４】従来のリレー駆動回路である。
【図５】従来のリレー駆動回路の動作を示すタイミングチャートである。
【図６】従来の他のリレー駆動回路である。
【符号の説明】
【００４９】
１、１１  ラッチングリレー
１ａ、１１ａ  セットコイル
１ｂ、１１ｂ  リセットコイル
１ｃ、１０２  リレースイッチ
２、ＩＣ１ａ  セット用ワンショットマルチバイブレータ
３、ＩＣ１ｂ  リセット用ワンショットマルチバイブレータ
４、ＩＣ２  電圧監視部
１０１  リレーコイル
１０３  論理回路
１０４  電圧監視回路
Ｃ１〜Ｃ３、Ｃ１０１  コンデンサ
Ｄ１〜Ｄ５  ダイオード
Ｑ１、Ｑ２、Ｑ１０１、Ｑ１０２  トランジスタ
Ｒ１〜Ｒ８、Ｒ１００、Ｒ１０１  抵抗
【図１】
2006179232.tif 000003
【図２】
2006179232.tif 000004
【図３】
2006179232.tif 000005
【図４】
2006179232.tif 000006
【図５】
2006179232.tif 000007
【図６】
2006179232.tif 000008